(57)【要約】【課題】  本発明は、対向する開口端に露出部を設けることで容易に開くことができる袋体を提供することを目的とするものである。【解決手段】  本発明は、医薬品などが装填される合成樹脂製袋体１の開口部２の対向する開口端３Ａ、３Ｂには互い違いとなるように、切欠開口部４が開口端３Ａ、３Ｂより開設される。この切欠開口部４によって露出する開口端３Ａ、３Ｂを手、あるいは機械手段によって掴んで左右方向に移動させることで容易に袋を開くことが可能となる。【選択図】          図１
2005112389.tif 000002
【特許請求の範囲】
【請求項１】
合成樹脂製袋体において、
対向する袋体の開口端に互い違いとなる切欠開口部を備える
ことを特徴とする袋体。
【請求項２】
合成樹脂製袋体において、
対向する袋体の開口端に互い違いとなるように突設形成される把持部を備える
ことを特徴とする袋体。
【請求項３】
チャック付き合成樹脂製袋体において、
対向する袋体の開口端に互い違いとなる切欠開口部を備える
ことを特徴とする袋体。
【請求項４】
チャック付き合成樹脂製袋体において、
対向する袋体の開口端に互い違いとなるように突設形成される把持部を備える
ことを特徴とする袋体。
【発明の詳細な説明】
【技術分野】
【０００１】
本発明は袋体に関する。詳しくは医薬品などを投入する際に容易に開封できるようにした袋体に係るものである。
【背景技術】
【０００２】
従来より、商品を内部に充填するための袋体としては、２枚の樹脂製シートが重ねられた状態で上端が開封されたものが多い、この場合には重ねられる互いの樹脂製シートが静電気などによって密着状態となり、開封する際には非常に手間がかかる問題があった。
【０００３】
そこで商品の装填が容易に行なえる袋体として図１０に示すように、袋体１０１は袋部１０２と吊下げ用延出片部１０３と舌部１０４とを有し、袋部１０１をなす袋表部１０５の上端と袋裏部１０６の上端は袋体１０１の開口端をなす。吊下げ用延出片部１０３は袋表部１０５の上端から上方に延出して設けられ、薄肉部１０７と厚肉部１０８とからなる。舌部１０９は袋裏部１０６の上端から上方に突出して薄肉部１０７に対向可能に設けられている。舌部１０４の薄肉部１０７に対向する面には、両面テープからなる舌部接着部１０８が設けられ、その一の面が舌部１０４の貼付けられている。商品の袋体１０１への装填後、アルミ箔１０９を剥がし、舌部接着部１０８を介して舌部１０４を薄肉部１０７に貼付けて、開口端が閉じられる（例えば、特許文献１参照。）。
【０００４】
【特許文献１】特開２００３−１４６３４４号（要約書、第１図）
【発明の開示】
【発明が解決しようとする課題】
【０００５】
しかしながら前記構成の袋体では袋表部と袋裏部の開口端に段差を設け、開口端の内側面にアルミ箔などの剥離部材が貼り付けられることにより、袋体としてなる樹脂製シートと異なる素材同士が接することによって袋を開き易くするものであるが、この袋体は商品の装填後に袋の開口端を接着により閉じる必要がある場合にしか使用できないという問題がある。
【０００６】
また、袋体を開く場合には、一の開口端を手によって持ちながら他の開口端を指先の爪によって手前側へ引っ掛けて開くという動作となり、連続的に袋体を開きながら商品を装填していくという連続作業には手間を要する問題がある。
【０００７】
また、病院などでは患者に応じて種々の薬品が袋に装填されて患者に配布されるものであり、これらの薬品の袋詰め作業が機械によって行なわれているが、その殆どが袋の開口端を機械によって掴むことができないために、袋体内に空気を送り込んで空気圧によって開かせる機構となっており、そのためにエアーコンプレッサーなどの付属設備が必要となり装置の大型化やコスト高となる問題がある。
【０００８】
本発明は、以上の点に鑑みて創案されたものであって、対向する開口端に露出部を設けることで容易に開くことができる袋体を提供することを目的とするものである。
【課題を解決するための手段】
【０００９】
上記の目的を達成するために、本発明に係る袋体は、合成樹脂製袋体において、対向する袋体の開口端に互い違いとなる切欠開口部を備える。
【００１０】
ここで、対向する袋体の開口端に互い違いとなる切欠開口部を設けることにより、対向側の開口端の内側が露出した状態となり、対向する開口端を把持して左右方向へ移動させることで容易に袋体を開くことが可能となる。
【００１１】
また、上記の目的を達成するために、本発明に係る袋体は、合成樹脂製袋体において対向する袋体の開口端に互い違いとなるように突設形成される把持部を備える。
【００１２】
ここで、対向する袋体の開口端に互い違いとなるように把持部を突設形成することにより、この把持部を掴んで左右方向へ移動させることで容易に袋体を開くことが可能となる。
【００１３】
また、上記の目的を達成するために、本発明に係る袋体は、チャック付き合成樹脂製袋体において、対向する袋体の開口端に互い違いとなる切欠開口部を備える。
【００１４】
ここで、雄チャックおよび雌チャックが開口端の手前側に設けられる袋体において、対向する袋体の開口端に互い違いとなる切欠開口部を設けることにより、対向側の開口端の内側が露出した状態となり、対向する開口端を把持して左右方向へ移動させることで容易に袋体を開くことができ、かつ商品を装填した後に、雄チャックおよび雌チャックによって密封することが可能となる。
【００１５】
また、上記の目的を達成するために、本発明に係る袋体は、チャック付き合成樹脂製袋体において、対向する袋体の開口端に互い違いとなるように突設形成される把持部を備える。
【００１６】
ここで、雄チャックおよび雌チャックが開口端の手前側に設けられる袋体において、対向する袋体の開口端に互い違いとなるように把持部を突設形成することにより、この把持部を掴んで左右方向へ移動させることで容易に袋体を開くことができ、かつ商品を装填した後に、雄チャックおよび雌チャックによって密封することが可能となる。
【発明の効果】
【００１７】
本発明では対向する開口端に互い違いとなるように切欠開口部を設けることによって、切欠開口部により対向する開口端が露出し、この露出した開口端を掴んで左右方向へ移動さることで容易に開くことができる。
【００１８】
また、対向する開口端に突設される把持部を掴んで右方向へ移動さることで容易に開くことができる。
【００１９】
更に互い違いに切欠開口部、あるいは把持部を形成することにより、機械的手段によって掴むことが容易となり、エアーコンプレッサーを必要としない袋詰め装置が可能となる。
【発明を実施するための最良の形態】
【００２０】
以下、本発明の実施の形態を図面を参酌しながら説明し、本発明の理解に供する。
【００２１】
図１に、本発明を適用した袋体の一例を説明するための正面説明図、図２に、図１におけるＡ−Ａ線断面図、図３に、図１におけるＢ−Ｂ線断面図を示す。
ここで示す合成樹脂製袋体１は、プラスチックフィルムで製袋され、その上端に開口部２が形成されるものである。
【００２２】
そこで開口部２の対向する開口端３Ａ、３Ｂには互い違いとなるように、切欠開口部４が開口端３Ａ、３Ｂより開設されるものである。従ってＡ−Ａ線断面図およびＢ−Ｂ線断面図で示すように、切欠開口部４により対向する開口端３Ａ、３Ｂの内側面が露出することになり、この露出する開口端３Ａ、３Ｂが容易に掴むことが可能となる。
【００２３】
図４に、本発明を適用した袋体の一例を説明するための正面説明図、図５に、図４におけるＡ−Ａ線断面図、図６に、図４におけるＢ−Ｂ線断面図を示す。
ここで示す合成樹脂製袋体１は、プラスチックフィルムで製袋され、その上端に開口部２が形成されるものである。
【００２４】
そこで開口部２の対向する開口端３Ａ、３Ｂには互い違いとなるように、把持部５が突設形成されるものである。従ってＡ−Ａ線断面図およびＢ−Ｂ線断面図で示すように、対向する開口端３Ａ、３Ｂに形成される把持部５を容易に掴むことが可能となる。
【００２５】
次に、図７は本発明を適用した袋体の一例で詳述した合成樹脂製袋体１にチャック部６を設けるものであり、開口端３Ａ、３Ｂに切欠開口部４が形成され、この切欠開口部４の下方位置に合成樹脂製袋体１を密封するためのチャック部６を合成樹脂製袋体１の幅方向に設けるものである。
【００２６】
また、図８は本発明を適用した袋体の他の例で詳述した合成樹脂製袋体１にチャック部６を設けるものであり、開口端３Ａ、３Ｂに把持部５が形成され、この把持部５の下方位置に合成樹脂製袋体１を密封するためのチャック部６を合成樹脂製袋体１の幅方向に設けるものである。
【００２７】
そこでチャック部６は図９に示すように、合成樹脂製袋体１内面の幅方向に沿って雄チャック７Ａと雌チャック７Ｂが対向した状態で溶着されている。この雌チャック７Ｂに対して付勢力に抗しながら雄チャック７Ａを嵌入することによって合成樹脂製袋体１の密封が行なえ、雌チャック７Ｂに嵌入された雄チャック７Ａを付勢力に抗しながら引き剥がすことによって合成樹脂製袋体１の開封が行なえる機構とするものである。
【００２８】
なお、合成樹脂製袋体及びチャック部の材質としては、熱可塑性合成樹脂、主としてポリエチレン（ＬＤＰＥ、ＨＤＰＥ、Ｌ−ＬＤＰＥ）やポリプロピレンの単層又は多層フィルムあるいはラミネートフィルムで、厚さ３０μ〜２００μのものが使用され、チャック部はポリエチレン（ＬＤＰＥ、ＨＤＰＥ、Ｌ−ＬＤＰＥ）やポリプロピレンが使用される。
【００２９】
また、切欠開口部あるいは把持部は必ずしも２個である必要性な無く、合成樹脂製袋体の大きさによっては、前記切欠開口部あるいは把持部が互い違いとなるように対向する開口端に形成されるものであれば、３個や４個などいかなる個数であっても構わない。
【００３０】
また、チャック部は必ずしも図９において詳述した機構である必要性は無く、例えばボタン式や粘着テープなどによる接着式など種々のものが考えら、状況に応じて最も適したものを採用することが望ましい。
【００３１】
以上の構成よりなる本発明の袋体では、切欠開口部を対向する開口端に互い違いとなるように形成することによって、合成樹脂製袋体の左右側の開口端面が露出することとなり、この左右側の開口端面を掴んで左右方向へ移動させることで容易に開口部を開くことが可能となる。
【００３２】
また、対向する開口端に互い違いとなるように把持部を突設形成することによって、把持部のみが開口端上に露出し、この左右側の把持部を掴んで左右方向へ移動させることで容易に開口部を開くことが可能となる。
【図面の簡単な説明】
【００３３】
【図１】本発明を適用した袋体の一例を説明するための正面説明図である。
【図２】図１におけるＡ−Ａ線断面説明図である。
【図３】図１におけるＢ−Ｂ線断面説明図である。
【図４】本発明を適用した袋体の他の例を説明するための正面説明図である。
【図５】図４におけるＡ−Ａ線断面説明図である。
【図６】図４におけるＢ−Ｂ線断面説明図である。
【図７】本発明を適用した袋体の一例での合成樹脂製袋体にチャック部を設けた状態を示す正面説明図である。
【図８】本発明を適用した袋体の他の例での合成樹脂製袋体にチャック部を設けた状態を示す正面説明図である。
【図９】本発明を適用した袋体のチャック部の一例を示す要部拡大断面説明図である。
【図１０】従来の袋体の一例を示す説明図である。
【符号の説明】
【００３４】
１            合成樹脂製袋体
２            開口部
３Ａ、３Ｂ    開口端
４            切欠開口部
５            把持部
６            チャック部
７Ａ          雄チャック
７Ｂ          雌チャック
【図１】
2005112389.tif 000003
【図２】
2005112389.tif 000004
【図３】
2005112389.tif 000005
【図４】
2005112389.tif 000006
【図５】
2005112389.tif 000007
【図６】
2005112389.tif 000008
【図７】
2005112389.tif 000009
【図８】
2005112389.tif 000010
【図９】
2005112389.tif 000011
【図１０】
2005112389.tif 000012